(57)【要約】【課題】  既存のキーを有効利用してシャッターチャンスの喪失を防止できるようにした携帯情報機器等を提供する。【解決手段】  テンキーにおける数値キー［１］〜［９］のいずれかの操作が検出されたか否かを判断する（Ｓ１０２）。検出された場合には、操作された数値キーに対応するズーム制御内容をテンキー対応テーブルから読み出す（Ｓ１０３）。この読み出した制御内容でＤＳＰを制御して、画像データをデジタルズーム処理させる（Ｓ１０４）。これにより、表示部には、操作された数値キーに応じて拡大又は縮小処理された被写体画像が瞬時に表示されることとなる。更に決定キーが操作されたか否かを判断し（Ｓ１０５）、決定キーが操作された場合には、その状態で撮影を行う（Ｓ１０６）。したがって、ユーザはシャッターチャンスを失うことなく、当該拡大又は縮小表示された被写体像の撮影を行うことができる。【選択図】    図５
2005175769.tif 000002
【特許請求の範囲】
【請求項１】
撮影手段と、
無線通信手段と、
前記無線通信手段を制御するために設けられた複数の操作手段と、
前記無線通信手段による所定の機能を動作させる第１のモードと前記撮影手段を動作させる第２のモードとを選択的に設定するモード設定手段と、
前記撮影手段における複数の被写体拡大率を前記複数の操作手段に各々対応させて記憶した記憶手段と、
前記モード設定手段により前記第２のモードが設定されている場合、前記操作手段の操作に応答して、前記記憶手段に記憶されている当該操作手段に対応する被写体拡大率に基づき、前記撮影手段の被写体像を拡大又は縮小処理する制御手段と
を有することを特徴とする携帯情報機器。
【請求項２】
前記複数の被写体拡大率と前記複数の操作手段との対応関係を表示する表示手段を更に有することを特徴とする請求項１記載の携帯情報機器。
【請求項３】
撮影手段と、
無線通信手段と、
所定無線通信手段を制御するために設けられた複数の操作手段と、
前記無線通信手段による所定の機能を動作させる第１のモードと前記撮影手段を動作させる第２のモードとを選択的に設定するモード設定手段と、
前記撮影手段における複数の露出補正値を前記複数の操作手段に各々対応させて記憶した記憶手段と、
前記モード設定手段により前記第２のモードが設定されている場合、前記操作手段の操作に応答して、前記記憶手段に記憶されている当該操作手段に対応する露出補正値に基づき、前記撮影手段の露出を制御する制御手段と
を有することを特徴とする携帯情報機器。
【請求項４】
前記複数の露出補正値と前記複数の操作手段との対応関係を表示する表示手段を更に有することを特徴とする請求項３記載の携帯情報機器。
【請求項５】
前記操作手段は、テンキーであることを特徴とする請求項１から４にいずれか記載の携帯情報機器。
【請求項６】
無線通信部と、撮影部と、前記無線通信部に対し所定の機能の処理を指示する複数の操作部を有する電子機器における撮影制御方法であって、
前記無線通信部による所定の機能を動作させる第１のモードと前記撮影部を動作させる第２のモードとを選択的に設定するモード設定ステップと、
このモード設定ステップにて前記第２のモードが設定されると、前記複数の操作部の夫々操作検出に応答して、前記撮影部で撮像される被写体像の拡大又は縮小を指示する指示ステップと
からなることを特徴とする撮影制御方法。
【請求項７】
無線通信部と、撮影部と、前記無線通信部に対し所定の機能の処理を指示する複数の操作部を有する電子機器における撮影制御方法であって、
前記無線通信部による所定の機能を処理させる第１のモードと前記撮影部を動作させる第２のモードとを選択的に設定するモード設定ステップと、
このモード設定ステップにて前記第２のモードが設定されると、前記複数の操作部の夫々操作検出に応答して、前記撮影部で撮像される被写体像の露出を補正する補正ステップと
からなることを特徴とする撮影制御方法。
【請求項８】
無線通信手段と、撮影手段と、前記無線通信手段を制御するために設けられた複数の操作手段と、前記無線通信手段による所定の機能を動作させる第１のモードと前記撮影手段を動作させる第２のモードとを選択的に設定するモード設定手段と、前記撮影手段における複数の被写体拡大率を前記複数の操作手段に各々対応させて記憶した記憶手段とを備えた携帯情報機器が有するコンピュータを、
前記モード設定手段により前記第２のモードが設定されている場合、前記操作手段の操作に応答して、前記記憶手段に記憶されている当該操作手段に対応する被写体拡大率に基づき、前記撮影手段の被写体像を拡大又は縮小処理する制御手段として機能させることを特徴とする撮影制御プログラム。
【請求項９】
無線通信手段と、撮影手段と、前記無線通信手段を制御するために設けられた複数の操作手段と、前記無線通信手段による所定の機能を動作させる第１のモードと前記撮影手段を動作させる第２のモードとを選択的に設定するモード設定手段と、前記撮影手段における複数の被写体拡大率を前記複数の操作手段に各々対応させて記憶した記憶手段とを備えた携帯情報機器が有するコンピュータを、
前記モード設定手段により前記第２のモードが設定されている場合、前記操作手段の操作に応答して、前記記憶手段に記憶されている当該操作手段に対応する露出補正値に基づき、前記撮影手段の露出を制御する制御手段として機能させることを特徴とする撮影制御プログラム。
【発明の詳細な説明】
【技術分野】
【０００１】
本発明は、カメラ付き携帯電話等、無線通信機能と撮影機能とを備える携帯情報機器、及び撮影制御方法、撮影制御プログラムに関する。
【背景技術】
【０００２】
今日におけるカメラ装置においては、デジタルカメラ等で比較的操作が簡易なものであってもズーム機能を備えている。このズーム機能を備えたカメラ装置には、ズームキーが設けられており、このズームキーの一方側を押下すると、被写体像が徐々に拡大し、他方側を押下すると被写体像が徐々に縮小するように構成されている。したがって、ユーザは画面に表示される被写体像を視認しつつ、ズームキーを操作し、被写体像が所望の拡大率になった時点でズームキーの操作をやめ、しかる後にシャッター操作を行うことにより、所望の拡大率からなる被写体を撮影することができる（例えば、特許文献１参照。）。
【特許文献１】特開平１１-８４２１２号公報（第４−５頁、図５）
【発明の開示】
【発明が解決しようとする課題】
【０００３】
しかしながら、従来のカメラ装置にあっては、前述のようにズームキーが連続的に操作されることにより、被写体像を徐々に拡大又は縮小することから、被写体像が所望の拡大率となるまでに時間を要する。このため、被写体像が所望の拡大率となるまでの間に、被写体に変化が生じてしまいシャッターチャンスを失う場合がある。
【０００４】
一方、携帯電話等の形態機器においては、当該機器本来の機能上必要となる複数のキーが設けられていることから、当該機器にカメラ機能を搭載した場合、既存のキーをカメラ機能の制御に用いることにより、キーの合理的利用が望まれている。
【０００５】
本発明は、このような従来の課題に鑑みてなされたものであり、既存のキーを有効利用してシャッターチャンスの喪失を防止できるようにした携帯情報機器、撮影制御方法、及び、撮影制御プログラムを提供することを目的とするものである。
【課題を解決するための手段】
【０００６】
前記課題を解決するために請求項１記載の発明に係る携帯情報機器にあっては、撮影手段と、無線通信手段と、前記無線通信手段を制御するために設けられた複数の操作手段と、前記無線通信手段による所定の機能を動作させる第１のモードと前記撮影手段を動作させる第２のモードとを選択的に設定するモード設定手段と、前記撮影手段における複数の被写体拡大率を前記複数の操作手段に各々対応させて記憶した記憶手段と、前記モード設定手段により前記第２のモードが設定されている場合、前記操作手段の操作に応答して、前記記憶手段に記憶されている当該操作手段に対応する被写体拡大率に基づき、前記撮影手段の被写体像を拡大又は縮小処理する制御手段とを有する。
【０００７】
したがって、第１のモードにおいては、複数の操作手段は無線通信手段による所定の機能を動作させるために操作される。しかし、第２のモードにおいて複数の操作手段のいずれかを操作すると、これに応答して、記憶手段に記憶されている当該操作手段に対応する被写体拡大率に基づき、撮影手段の被写体像が拡大又は縮小処理される。よって、任意の操作手段に対する操作により、瞬時にして撮影手段の被写体像を拡大又は縮小処理されることから、その間に被写体に変化が生じてしまう場合が少なく、シャッターチャンスの喪失が未然に防止される。しかも、操作手段は、無線通信手段を制御するために設けられたものであることから、既存の操作手段を有効利用してシャッターチャンスの喪失を防止することができる。
【０００８】
また、請求項２記載の発明に係る携帯情報機器にあっては、前記複数の被写体拡大率と前記複数の操作手段との対応関係を表示する表示手段を更に有する。したがって、ユーザは表示手段に表示された被写体拡大率と操作手段との対応関係を視認しながら、容易に所望の被写体拡大率を設定することができる。
【０００９】
また、請求項３記載の発明に係る携帯情報機器にあっては、撮影手段と、無線通信手段と、所定無線通信手段を制御するために設けられた複数の操作手段と、前記無線通信手段による所定の機能を動作させる第１のモードと前記撮影手段を動作させる第２のモードとを選択的に設定するモード設定手段と、前記撮影手段における複数の露出補正値を前記複数の操作手段に各々対応させて記憶した記憶手段と、前記モード設定手段により前記第２のモードが設定されている場合、前記操作手段の操作に応答して、前記記憶手段に記憶されている当該操作手段に対応する露出補正値に基づき、前記撮影手段の露出を制御する制御手段とを有する。
【００１０】
したがって、第１のモードにおいては、複数の操作手段は所定の無線通信手段による所定の機能を動作させるために操作される。しかし、第２のモードにおいて複数の操作手段のいずれかを操作すると、これに応答して、記憶手段に記憶されている当該操作手段に対応する露出補正値に基づき、撮影手段の露出が制御される。よって、任意の操作手段に対する操作により、瞬時にして撮影手段の露出が変化することから、その間に被写体に変化が生じてしまう場合が少なく、シャッターチャンスの喪失が未然に防止される。しかも、操作手段は、当該携帯情報機器本来の機能上必要となるものであることから、既存の操作手段を有効利用してシャッターチャンスの喪失を防止することができる。
【００１１】
また、請求項４記載の発明に係る携帯情報機器にあっては、前記複数の露出補正値と前記複数の操作手段との対応関係を表示する表示手段を更に有する。したがって、ユーザは表示手段に表示された露出補正値と操作手段との対応関係を視認しながら、容易に所望の露出補正値を設定することができる。
【００１２】
また、請求項５記載の発明に係る携帯情報機器にあっては、前記操作手段は、テンキーである。したがって、テンキーの数値に、被写体拡大率や露出補正値を対応させることができ、これにより対応関係を明瞭にして、優れた使い勝手を確保することができる。
【００１３】
また、請求項６記載の発明は、無線通信部と、撮影部と、前記無線通信部に対し所定の機能の処理を指示する複数の操作部を有する電子機器における撮影制御方法であって、前記無線通信部による所定の機能を動作させる第１のモードと前記撮影部を動作させる第２のモードとを選択的に設定するモード設定ステップと、このモード設定ステップにて前記第２のモードが設定されると、前記複数の操作部の夫々操作検出に応答して、前記撮影部で撮像される被写体像の拡大又は縮小を指示する指示ステップとからなる。したがって、記載したステップに従って処理を実行することにより、請求項１記載の発明と同様の作用効果を奏する。
【００１４】
また、請求項７記載の発明は、無線通信部と、撮影部と、前記無線通信部に対し所定の機能の処理を指示する複数の操作部を有する電子機器における撮影制御方法であって、
【００１５】
前記無線通信部による所定の機能を処理させる第１のモードと前記撮影部を動作させる第２のモードとを選択的に設定するモード設定ステップと、このモード設定ステップにて前記第２のモードが設定されると、前記複数の操作部の夫々操作検出に応答して、前記撮影部で撮像される被写体像の露出を補正する補正ステップとからなる。したがって、記載したステップに従って処理を実行することにより、請求項２記載の発明と同様の作用効果を奏する。
【００１６】
また、請求項８記載の発明に係る被写体像制御プログラムにあっては、無線通信手段と、撮影手段と、前記無線通信手段を制御するために設けられた複数の操作手段と、前記無線通信手段による所定の機能を動作させる第１のモードと前記撮影手段を動作させる第２のモードとを選択的に設定するモード設定手段と、前記撮影手段における複数の被写体拡大率を前記複数の操作手段に各々対応させて記憶した記憶手段とを備えた携帯情報機器が有するコンピュータを、前記モード設定手段により前記第２のモードが設定されている場合、前記操作手段の操作に応答して、前記記憶手段に記憶されている当該操作手段に対応する被写体拡大率に基づき、前記撮影手段の被写体像を拡大又は縮小処理する制御手段として機能させる。したがって、前記コンピュータがこのプログラムに従って処理を実行することにより、請求項１記載の発明と同様の作用効果を奏する。
【００１７】
また、請求項９記載の発明に係る被写体像制御プログラムにあっては、無線通信手段と、撮影手段と、前記無線通信手段を制御するために設けられた複数の操作手段と、前記無線通信手段による所定の機能を動作させる第１のモードと前記撮影手段を動作させる第２のモードとを選択的に設定するモード設定手段と、前記撮影手段における複数の被写体拡大率を前記複数の操作手段に各々対応させて記憶した記憶手段とを備えた携帯情報機器が有するコンピュータを、前記モード設定手段により前記第２のモードが設定されている場合、前記操作手段の操作に応答して、前記記憶手段に記憶されている当該操作手段に対応する露出補正値に基づき、前記撮影手段の露出を制御する制御手段として機能させる。したがって、前記コンピュータがこのプログラムに従って処理を実行することにより、請求項２記載の発明と同様の作用効果を奏する。
【発明の効果】
【００１８】
以上説明したように本発明によれば、第２のモードにおいて複数の操作手段のいずれかが操作されると、これに応答して、記憶手段に記憶されている当該操作手段に対応する被写体拡大率に基づき、撮影手段の被写体像を拡大又は縮小処理され、あるいは、当該操作手段に対応する露出補正値に基づき、撮影手段の露出が制御される。したがって、任意の操作手段に対する操作により、瞬時にして撮影手段の被写体像が拡大又は縮小処理され、あるいは露出補正されることから、その間に被写体に変化が生じてしまう場合が少なく、シャッターチャンスの喪失を未然に防止することができる。しかも、操作手段は、無線通信手段を有する当携帯情報機器本来の機能上必要となるものであることから、既存の操作手段を有効利用してシャッターチャンスの喪失を防止することができる。
【発明を実施するための最良の形態】
【００１９】
以下、本発明を携帯電話に適用した実施の形態を図に従って説明する。
【００２０】
（第１の実施の形態）
図１は、本発明の各実施の形態に共通する携帯電話１の外観図（開状態：正面図及び背面図）であり、携帯電話１は、蓋部と本体部とからなる二つ折りの構造である。アンテナ１０３は、本体部の背面に設けられており、伸縮自在となっている。スピーカ１０１は、蓋部の前面側に設けられており、音声出力を行う。メイン表示部１０２は、ＱＶＧＡカラー液晶であり、蓋部の前面略中央部に配置されている。
【００２１】
本体部の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。
【００２２】
また、カメラキー１０４は、着信待受け状態からカメラモードへの移行時及び撮像部の起動させる際に操作されるとともに、カメラ−ムービー切替に使用される。メールキー１０５は、メールモード移行時及びメールプログラムロード時に操作されるキーである。十字キー１０６は、カーソル移動時に操作され、決定キー１０７は各種モードの決定時に操作され、カメラモード時にはシャッターキーとして機能する。
【００２３】
アドレスキー１０８は、アドレス帳データを表示する際に操作されるキーであり、ネット接続キー１０９は、外部のネットワーク接続用の操作キーである。クリアキー１１０は、キャンセル指示用のキーであり、テンキー１１３は、文字入力及びダイアル入力用として使用され、数字［０］〜［９］が付されたキー、及び記号［＊］［＃］が付されたキーとで構成されている。
マイク１１４は、本体部の下部に設けられており、通話時において音声入力を行う。
【００２４】
また、蓋部の背面には、録音用マイク１１５、カラー液晶からなるサブ表示部１１６、着信の際、発光する報知用ＬＥＤ１１７、光学系としての撮像レンズ１１８、及びフラッシュ用ＬＥＤ１１９が配置されている。また、本体部の裏面には報知用スピーカ１２０が配置されている。この報知用スピーカ１２０は、着信などを報知するものであり、蓋部を本体部に閉じた状態でも報知音が聞こえるように、本体部の裏面に配置されている。
【００２５】
図２は、携帯電話１の構成を示すブロック図である。無線部１２１は、アンテナ１０３に接続されており、ＱＰＳＫ方式に基づく変復調と、ＣＤＭＡ方式に基づく端末認証処理を含む通信処理を行う。制御部１２２は、当該機器を制御するとともにＷＷＷ接続制御を行うものであって、通信データ処理部１２２１、システムＲＯＭ１２２２及びオーディオインターフェース１２２３、及び、内蔵クロック（不図示）に基づき現在時刻を計時するための時刻計時部１２２４を有している。通信データ処理部１２２１は、ＣＬＥＰ系音声復号符号化処理回路、パケットデータ生成回路、及びパケットデータ復元回路を含み、通信プロトコルに沿ったデータ処理を行う。システムＲＯＭ１２２２には、ＯＳのような基本システムが格納される。オーディオインターフェース１２２３は、通信データ処理部１２２１で処理される音声信号の入出力を行うものであって、前記スピーカ１０１、マイク１１４及び録音用マイク１１５が接続されている。なお、入力部は、前記カメラキー１０４〜テンキー１１３で構成される。
【００２６】
アドレス・データバス処理部１２３は、制御部１２２と周辺回路（破線枠内の回路）とのデータの入出力タイミング等を制御・管理するものである。ＲＡＭ１２４は、アドレス帳データやメールデータ等、機器内で生成される各種データを記憶する。プログラムＲＯＭ（ＮＯＲ  Ｆｌａｓｈ）１２５は、各種アプリケーションプログラム等を格納し、特に本実施の形態においては、ＤＳＰ１２９にてデジタル化された画像データに対し圧縮符号化処理を施すためのプログラムを含むカメラアプリケーションを記憶する。音源ＩＣ１２６は、報知音の波形を記憶するともに出力するものであって、アンプ１２７は音源ＩＣ１２６からの出力を増幅し、前記報知用スピーカ１２０はこれを再生する。
【００２７】
表示モジュール系ドライバ１２８は、前記メイン表示部１０２、サブ表示部１１６、報知用ＬＥＤ１１７、及びフラッシュ用ＬＥＤ１１９を駆動するものである。撮像デバイス１３０は、前記撮像レンズ１１８により絞り１３２を介して被写体像が結像されるＣＣＤ等からなる。ＤＳＰ１２９は、この撮像デバイス１３０からの画像信号をデジタル信号化処理するとともに、デジタルズーム処理して拡大及び縮小処理するものである。この拡大及び縮小処理された画像データに基づき、表示モジュール系ドライバがメイン表示部１０２を駆動することにより、撮像デバイス１３０上に結像された被写体像がメイン表示部１０２に拡大又は縮小表示されるとともに、シャッター操作に伴い当該被写体像の画像データが後述する画像メモリ１２４３に記録されるように構成されている。
【００２８】
また、撮像レンズ１１８はオートフォーカス制御用のステップモータ等からなる駆動機構（図示せず）に保持されている。そして、制御部１２２からのコントラスト検出方式のパッシブＡＦに基づく制御信号に応じて、ＡＦドライバ１３１が出力する駆動信号が駆動機構に供給されることにより、撮像レンズ１１８を光軸上の前後に移動して合焦動作を行うように構成されている。なお、絞り１３２はパンフォーカスが可能な絞り値が設定された固定式である。
【００２９】
図３（ａ）は、プログラムＲＯＭ１２５のメモリエリアの構成を示す概念図である。プログラムＲＯＭ１２５は、ソフトウェアプログラム格納領域１２５１、テンキー対応テーブル１２５３及びその他の格納領域１２５２とを有している。ソフトウェアプログラム格納領域１２５１には、本実施の形態の特徴であるカメラアプリケーションが格納されており、その他の格納領域１２５２にはその他のアプリケーションが格納されている。テンキー対応テーブル１２５３には、同図（ｂ）に示すように、テンキー１１３における数値キー［１］〜［９］に対応して、「最大ズーム」（最大拡大）から「最大ワイド」（最小縮小）までの拡大及び縮小制御内容が記憶されている。
【００３０】
図４は、前記ＲＡＭ１２４のメモリエリアの構成を示す概念図である。ＲＡＭ１２４は、アドレス帳記憶領域１２４１、メールデータ記憶領域１２４２、画像メモリ１２４３、及びその他のワーク領域１２４４からなる。アドレス帳記憶領域１２４１は、氏名、電話番号、メールアドレス等を１レコードとして複数記憶する。メールデータ記憶領域１２４２には、メールソフトウェアを使用して作成されたメールデータや、受信したメールデータを格納する。画像メモリ１２４３は、撮影された画像の画像ファイルを格納する。その他のワーク領域１２４４は、ワークメモリとして各種データ格納する。
【００３１】
次に、以上の構成に係る携帯電話１の動作について説明する。着信待受け状態においては、この携帯電話１は一般的な携帯電話と同様に機能する。つまり、前述のように、メールキー１０５は、メールモード移行時及びメールプログラムロード時に操作されるキーとして機能し、アドレスキー１０８は、アドレス帳データを表示する際に操作されるキーとして機能し、ネット接続キー１０９は、外部のネットワーク接続用の操作キーとして機能し、テンキー１１３は、文字入力及びダイアル入力用キーとして機能する。
【００３２】
そして、ユーザが携帯電話１をカメラとして使用すべく、カメラキー１０４をワンタッチ操作すると、制御部１２２は、このカメラキー１０４の操作に応答してカメラモードに移行し、ソフトウェアプログラム格納領域１２５１に記憶されるカメラアプリケーションをロードする。また、このカメラモードへの移行に伴って、制御部１２２は、オートフォーカス（ＡＦ）で撮像レンズ１１８により撮像デバイス１３０上に結像された被写体像をメイン表示部１０２に、「ズーム１」でモニター表示させる。そして、メイン表示部１０２に被写体像を表示させつつ、プログラムＲＯＭ１２５に格納されているプログラムに基づき、図５のフローチャートに示すように処理を実行する。
【００３３】
まず、インジケータ画面表示処理を実行する（ステップＳ１０１）。このステップＳ１０１での処理により、図６に示すように、被写体像Ｐがモニター表示されているメイン表示部１０２に、ズーム側マーク１０２１、ワイド側マーク１０２２、両マーク１０２１、１０２２間のズーム位置インジケータ１０２３、このインジケータ１０２３の移動方向に沿って配列された［１］〜［９］の数字１０２４、及び左下部の「０」の数字１０２５等を表示させる。
【００３４】
また、このときズーム位置インジケータ１０２３は、現時点におけるズーム制御の値に対応するテンキーの数字に合致させて表示させる。つまり、初期表示状態においては前述のように、被写体像を「ズーム１」でモニター表示させるが、この「ズーム１」は図３（ｂ）に示したように、［４］キーに対応することから、図６に示したように数字「４」に対応する位置にズーム位置インジケータ１０２３を表示させる。したがって、ユーザは、この図６に示した画面を見ることにより、［４］より値の小さい［３］〜［１］を選択すれば、被写体像Ｐが拡大され、［４］より値の大きい［５］〜［９］を選択すれば、現時点の被写体像Ｐが縮小されてワイド表示されることを理解することができる。
【００３５】
次に、テンキー１１３における数値キー［１］〜［９］のいずれかの操作が検出されたか否かを判断する（ステップＳ１０２）。検出された場合には、操作された数値キーに対応するズーム制御内容をテンキー対応テーブル１２５３から読み出す（ステップＳ１０３）。つまり、例えばテンキー１１３における数値キー［１］の操作が検出された場合には、テンキー対応テーブル１２５３から「最大ズーム」を読み出し、数値キー［７］が操作された場合には、「ワイド２」を読み出す。
【００３６】
引き続き、この読み出した制御内容でＤＳＰ１２９を制御して、画像データをデジタルズーム処理させる（ステップＳ１０４）。これにより、メイン表示部１０２には、操作された数値キーに応じて拡大又は縮小処理された被写体画像が瞬時に表示されることとなる。更に決定キー１０７が操作されたか否かを判断する（ステップＳ１０５）。そして、カメラモードにおいて、決定キー１０７が操作された場合には、その状態で撮影を行う（ステップＳ１０６）。
【００３７】
つまり、決定キー１０７が押下されるとこの時点でＤＳＰ１２９により拡大又は縮小処理されている被写体像の画像データを、カメラアプリケーションにて圧縮符号化処理して画像ファイルを生成し、撮影日時をファイル名として、この画像ファイルを画像メモリ１２４３に記憶させる。したがって、ユーザはテンキー１１３における任意の数値キー［１］〜［９］を操作することにより、メイン表示部１０２に拡大又は縮小表示された被写体像Ｐを視認した後、決定キー１０７を操作することにより、シャッターチャンスを失うことなく、当該拡大又は縮小表示された被写体像Ｐの画像データを画像メモリ１２４３に記憶させる撮影を行うことができる。
【００３８】
一方、ステップＳ１０５での判断の結果、決定キー１０７が押下が検出されない場合には、テンキー１１３における数値キー［０］の操作が検出されたか否かを判断する（ステップＳ１０７）。数値キー［０］の操作が検出されない場合、及び前記撮影処理（ステップＳ１０６）を行った場合には、モード切換がなされたか否かを判断する（ステップＳ１０８）。そして、モード切換がなされた場合には、このフローに従ったカメラ処理を終了し、モード切換がなされていない場合には、リターンしてステップＳ１０１からの処理を繰り返す。
【００３９】
他方、ステップＳ１０７での判断の結果、テンキー１１３における数値キー［０］の操作が検出された場合には、インジケータ画面の消去を行った後（ステップＳ１０９）、ステップＳ１０２からの処理を繰り返す。このステップＳ１０９の処理により、図６に示したメイン表示部１０２において、ズーム側マーク１０２１、ワイド側マーク１０２２、ズーム位置インジケータ１０２３、［１］〜［９］の数字１０２４、「０」の数字１０２５を全て消去する。これにより、メイン表示部１０２には、被写体像Ｐのみが表示される状態となり、メイン表示部１０２に見易い状態で被写体像Ｐを表示させることができる。
【００４０】
無論、前述のようにこの場合であってもステップＳ１０２からの処理は実行されることから、テンキー１１３における数値キー［１］〜［９］の操作に応じて、被写体像Ｐを拡大又は縮小して表示させて、撮影を行うことができる。
【００４１】
（第２の実施の形態）
図７は、本発明の第２の実施の形態におけるテンキー対応テーブル１２５３の構成を示す図である。本実施の形態のテンキー対応テーブル１２５３には、テンキー１１３における数値キー［１］〜［９］に対応して、「−２．０露出補正」（最大露出補正）から「＋２．０露出補正」（最小露出補正）までの露出補正値が記憶されている。
【００４２】
図８は、本実施の形態における処理手順を示すフローチャートである。すなわち、ユーザが携帯電話１をカメラとして使用すべく、カメラキー１０４をワンタッチ操作すると、制御部１２２は、このカメラキー１０４の操作に応答してカメラモードに移行し、ソフトウェアプログラム格納領域１２５１に記憶されるカメラアプリケーションをロードする。また、このカメラモードへの移行に伴って、制御部１２２は、オートフォーカス（ＡＦ）で撮像レンズ１１８により撮像デバイス１３０上に結像された被写体像をメイン表示部１０２に、「＋０．５露出補正」でモニター表示させる。そして、メイン表示部１０２に被写体像を表示させつつ、プログラムＲＯＭ１２５に格納されているプログラムに基づき、図５のフローチャートに示すように処理を実行する。
【００４３】
まず、インジケータ画面表示処理を実行する（ステップＳ２０１）。このステップＳ２０１での処理により、図９に示すように、被写体像Ｐがモニター表示されているメイン表示部１０２に、「暗」から「明」までの間の露出補正値インジケータ１０２６、このインジケータ１０２６の移動方向に沿って配列された［１］〜［９］の数字１０２４、及び左下部の「０」の数字１０２５等を表示させる。
【００４４】
また、このとき露出補正値インジケータ１０２６は、現時点における露出制御の値に対応するテンキーの数字に合致させて表示させる。つまり、初期表示状態においては前述のように、被写体像を「＋０．５露出補正」でモニター表示させるが、この「＋０．５露出補正」は図７に示したように、［６］キーに対応することから、図９に示したように数字「６」に対応する位置に露出補正値インジケータ１０２６を表示させる。したがって、ユーザは、この図９に示した画面を見ることにより、「６」より値の小さい［５］〜［１］を選択すれば被写体像Ｐが暗くなり、「６」より値の大きい［７］〜［９］を選択すれば被写体像Ｐが明るくなることを理解することができる。
【００４５】
次に、テンキー１１３における数値キー［１］〜［９］のいずれかの操作が検出されたか否かを判断する（ステップＳ２０２）。検出された場合には、操作された数値キーに対応する露出制御内容をテンキー対応テーブル１２５３から読み出す（ステップＳ２０３）。つまり、例えばテンキー１１３における数値キー［１］の操作が検出された場合には、テンキー対応テーブル１２５３から「−２．０露出補正」を読み出し、数値キー［７］が操作された場合には、「＋．５露出補正」を読み出す。
【００４６】
引き続き、この読み出した制御内容でＤＳＰ１２９を制御して、画像データをデジタル露出処理させる（ステップＳ２０４）。これにより、メイン表示部１０２には、操作された数値キーに応じて明暗処理された被写体画像が瞬時に表示されることとなる。更に決定キー１０７が操作されたか否かを判断する（ステップＳ２０５）。そして、カメラモードにおいて、決定キー１０７が操作された場合には、その状態で撮影を行う（ステップＳ２０６）。
【００４７】
つまり、決定キー１０７が押下されるとこの時点でＤＳＰ１２９により明暗処理されている被写体像の画像データを、カメラアプリケーションにて圧縮符号化処理して画像ファイルを生成し、撮影日時をファイル名として、この画像ファイルを画像メモリ１２４３に記憶させる。したがって、ユーザはテンキー１１３における任意の数値キー［１］〜［９］を操作することにより、メイン表示部１０２に明暗処理表示された被写体像Ｐを視認した後、決定キー１０７を操作することにより、シャッターチャンスを失うことなく、当該明暗処理表示された被写体像Ｐの画像データを画像メモリ１２４３に記憶させる撮影を行うことができる。
【００４８】
一方、ステップＳ２０５での判断の結果、決定キー１０７が押下が検出されない場合には、テンキー１１３における数値キー［０］の操作が検出されたか否かを判断する（ステップＳ２０７）。数値キー［０］の操作が検出されない場合、及び前記撮影処理（ステップＳ２０６）を行った場合には、モード切換がなされたか否かを判断する（ステップＳ２０８）。そして、モード切換がなされた場合には、このフローに従ったカメラ処理を終了し、モード切換がなされていない場合には、リターンしてステップＳ２０１からの処理を繰り返す。
【００４９】
他方、ステップＳ２０７での判断の結果、テンキー１１３における数値キー［０］の操作が検出された場合には、インジケータ画面の消去を行った後（ステップＳ２０９）、ステップＳ２０２からの処理を繰り返す。このステップＳ２０９の処理により、図９に示したメイン表示部１０２において、露出補正値インジケータ１０２６、［１］〜［９］の数字１０２４、「０」の数字１０２５を全て消去する。これにより、メイン表示部１０２には、被写体像Ｐのみが表示される状態となり、メイン表示部１０２に見易い状態で被写体像Ｐを表示させることができる。
【００５０】
無論、前述のようにこの場合であってもステップＳ２０２からの処理は実行されることから、テンキー１１３における数値キー［１］〜［９］の操作に応じて、被写体像Ｐを明暗処理して表示させて、撮影を行うことができる。
【００５１】
なお、本実施の形態においては、本発明を携帯電話に適用した場合を示したが、これに限ることなく、ＰＤＡ、デジタルカメラ、携帯型ゲーム機等通信機能と撮影機能とを併有するの比較的小型の他の機器に適用し得ることは勿論である。
【図面の簡単な説明】
【００５２】
【図１】（ａ）は本発明の各実施の形態の形態に共通する携帯電話の正面図、（ｂ）は背面図である。
【図２】携帯電話の構成を示すブロック図である。
【図３】（ａ）はプログラムＲＯＭのメモリエリアの構成を示す概念図、（ｂ）は第１の実施の形態におけるテンキー対応テーブルの概念図である。
【図４】ＲＡＭのメモリエリアの構成を示す概念図である。
【図５】本発明の第１の実施の形態における処理手順を示すフローチャートである。
【図６】同実施の形態における表示画面例を示す図である。
【図７】本発明の第２の実施の形態におけるテンキー対応テーブルの概念図である。
【図８】同実施の形態における処理手順を示すフローチャートである。
【図９】同実施の形態における表示画面例を示す図である。
【符号の説明】
【００５３】
１          携帯電話（携帯情報機器、電子機器）
１０        メイン表示部（表示手段）
１０２      メイン表示部（表示手段）
１０３      アンテナ（無線通信手段）
１０４      カメラキー
１０５      メールキー
１０６      十字キー
１０７      決定キー
１０８      アドレスキー
１０９      ネット接続キー
１１３      テンキー（操作手段）
１１６      サブ表示部
１１８      撮像レンズ（撮影手段、撮影部）
１２１      無線部（無線通信手段、無線通信部）
１２２      制御部（モード設定手段、制御手段）
１２３      データバス処理部
１２４      ＲＡＭ
１２５      プログラムＲＯＭ
１２８      表示モジュール系ドライバ
１２９      ＤＳＰ
１３０      撮像デバイス（撮影手段、撮影部）
１３１      ＡＦドライバ
１０２１    ズーム側マーク
１０２２    ワイド側マーク
１０２３    インジケータ
１０２３    ズーム位置インジケータ
１０２６    露出補正値インジケータ
１２２１    通信データ処理部（無線通信手段、無線通信部）
１２２２    システムＲＯＭ
１２４１    アドレス帳記憶領域
１２４２    メールデータ記憶領域
１２４３    画像メモリ
１２４４    ワーク領域
１２５１    ソフトウェアプログラム格納領域
１２５２    格納領域
１２５３    テンキー対応テーブル（記憶手段）
Ｐ          被写体像
【図１】
2005175769.tif 000003
【図２】
2005175769.tif 000004
【図３】
2005175769.tif 000005
【図４】
2005175769.tif 000006
【図５】
2005175769.tif 000007
【図６】
2005175769.tif 000008
【図７】
2005175769.tif 000009
【図８】
2005175769.tif 000010
【図９】
2005175769.tif 000011